(57)【要約】【課題】コントローラケースにデッドスペースが生じることを抑制しつつ、漏電ブレーカの取り付けを容易かつ適切に行なうことが可能なコントローラケースへの漏電ブレーカの取付け構造を提供する。【解決手段】コントローラケース１は、漏電ブレーカ４を嵌入させて保持させるための凹状部１３と、所定のストッパ部１６ａ，１６ｂと、凹状部１３に沿って設けられて撓み変形可能であり、かつ係止用凸部１５ａを有する押さえ片１５と、を備えており、凹状部１３に漏電ブレーカ４を嵌入させる際には、押さえ片１５を撓ませることにより押さえ片１５と漏電ブレーカ４との干渉を回避し、凹状部１３に漏電ブレーカ４が嵌入された後には、漏電ブレーカ４の脱出を規制するように係止用凸部１５ａを漏電ブレーカ４に係止可能である。【選択図】  図４
2013178925.tif 000002
【特許請求の範囲】
【請求項１】
所望の機器を制御するための制御基板を収容するコントローラケースに、漏電ブレーカを取り付けるための構造であって、
前記コントローラケースは、
このコントローラケースの前方または後方から前記漏電ブレーカを嵌入させて保持させるための凹状部と、
この凹状部に前記漏電ブレーカを嵌入させたときに、この嵌入方向において前記漏電ブレーカと当接することにより前記漏電ブレーカが一定以上前進することを阻止するためのストッパ部と、
前記凹状部に沿って前記コントローラケースの前後厚み方向に延び、かつ弾性復元力を伴って撓み変形可能であり、先端部に係止用凸部を有する押さえ片と、
を備えており、
前記凹状部に前記漏電ブレーカを嵌入させる際には、前記押さえ片を撓ませることによって、前記押さえ片と前記漏電ブレーカとの干渉を回避可能であり、かつ前記凹状部に前記漏電ブレーカが嵌入された後においては、前記漏電ブレーカが前記凹状部から脱出することを規制するように、前記係止用凸部を前記漏電ブレーカに係止させることが可能な構成とされていることを特徴とする、コントローラケースへの漏電ブレーカの取付け構造。
【請求項２】
請求項１に記載のコントローラケースへの漏電ブレーカの取付け構造であって、
前記凹状部は、前記漏電ブレーカを前記コントローラケースの背後から嵌入させることが可能とされ、
前記ストッパ部は、前記凹状部に前記漏電ブレーカが嵌入されたときに、前記漏電ブレーカの前向き面に当接し、前記漏電ブレーカが前記凹状部の前方に脱出することを阻止することが可能に設けられ、
前記押さえ片は、前記凹状部の上側において、前記凹状部の前部側から前記コントローラケースの後方に向けて突出し、かつ前記係止用凸部は、下向き凸状に設けられ、
前記凹状部に前記漏電ブレーカが嵌入された後においては、前記係止用凸部を前記漏電ブレーカの後向き面に係止させることにより、前記漏電ブレーカが前記凹状部の後方に脱出することを阻止可能とされている、コントローラケースへの漏電ブレーカの取付け構造。
【請求項３】
請求項２に記載のコントローラケースへの漏電ブレーカの取付け構造であって、
前記コントローラケースの背面板には、開口部が設けられ、この開口部の前方領域が前記凹状部とされている、コントローラケースへの漏電ブレーカの取付け構造。
【請求項４】
請求項３に記載のコントローラケースへの漏電ブレーカの取付け構造であって、
前記漏電ブレーカは、その左右両側面部から突出する一対の突出片部と、前面部に設けられた漏電表示ランプならびに配線用端子部とを有しており、
前記ストッパ部としては、前記凹状部の幅方向に間隔を隔てて位置し、かつ前記漏電ブレーカを挟んだ状態で前記一対の突出片部の前向き面に当接可能な一対の第１のストッパ部と、前記漏電表示ランプおよび前記配線用端子部の前方を避けるようにして前記漏電ブレーカの前面部に当接可能な第２のストッパ部と、を有している、コントローラケースへの漏電ブレーカの取付け構造。
【発明の詳細な説明】
【技術分野】
【０００１】
本発明は、温水装置などの所望の機器を制御するための制御基板を収容するコントローラケースに漏電ブレーカを取り付けるための構造に関する。
【背景技術】
【０００２】
本出願人は、制御基板を収容するコントローラケースに漏電ブレーカを取り付けるための手段として、特許文献１に記載された構造を先に提案している。同文献に記載された構造においては、漏電ブレーカの左右両側面に一対の突出片部を形成する一方、コントローラケースには、漏電ブレーカをスライドさせるための領域と、このスライド操作によって、前記一対の突出片部をスライド進入させることが可能な一対の隙間を形成している。また、コントローラケースには、漏電ブレーカの一対の突出片部を前記一対の隙間にスライド進入させた際に、前記漏電ブレーカのスライドを規制するための手段も設けている。
このような構成によれば、漏電ブレーカをコントローラケースの所定箇所に配置させてからスライドさせることによって、コントローラケースに適切に取り付けることができる。漏電ブレーカをコントローラケースにビス止めする必要はなく、漏電ブレーカの取り付け作業性に優れる。
【０００３】
しかしながら、前記従来技術においては、次に述べるように、未だ改善すべき余地があった。
【０００４】
すなわち、前記従来技術では、コントローラケース内に漏電ブレーカをスライドさせるための領域を設ける必要がある。したがって、漏電ブレーカの取り付けに要するスペースは、実質的には、漏電ブレーカが最終的に固定配置される領域のサイズと、漏電ブレーカのスライド用領域のサイズとを併せたものとなり、やや大きめとなる。また、漏電ブレーカのスライド用領域は、他の電気機器の取り付けに利用することができないデッドスペースとなってしまう。したがって、このようなデッドスペースを無くし、または少なくし、コントローラケースの全体の小サイズ化などを図る観点からすると、未だ改善の余地がある。とくに、給湯装置などの温水装置において用いられるコントローラケースは、温水装置の外装ケース内の狭い領域に設置されるのが通例であるため、このような用途に用いられるコントローラケースについては、デッドスペースを無くし、全体の小サイズ化などを図ることが、より強く要望される。
【先行技術文献】
【特許文献】
【０００５】
【特許文献１】特許第４４５２０７２号公報
【発明の概要】
【発明が解決しようとする課題】
【０００６】
本発明は、前記したような事情のもとで考え出されたものであり、コントローラケースにデッドスペースが生じることを抑制しつつ、漏電ブレーカの取り付けを容易かつ適切に行なうことが可能なコントローラケースへの漏電ブレーカの取付け構造を提供することを、その課題としている。
【課題を解決するための手段】
【０００７】
上記の課題を解決するため、本発明では、次の技術的手段を講じている。
【０００８】
本発明により提供されるコントローラケースへの漏電ブレーカの取付け構造は、所望の
機器を制御するための制御基板を収容するコントローラケースに、漏電ブレーカを取り付けるための構造であって、前記コントローラケースは、このコントローラケースの前方または後方から前記漏電ブレーカを嵌入させて保持させるための凹状部と、この凹状部に前記漏電ブレーカを嵌入させたときに、この嵌入方向において前記漏電ブレーカと当接することにより前記漏電ブレーカが一定以上前進することを阻止するためのストッパ部と、前記凹状部に沿って前記コントローラケースの前後厚み方向に延び、かつ弾性復元力を伴って撓み変形可能であり、先端部に係止用凸部を有する押さえ片と、を備えており、前記凹状部に前記漏電ブレーカを嵌入させる際には、前記押さえ片を撓ませることによって、前記押さえ片と前記漏電ブレーカとの干渉を回避可能であり、かつ前記凹状部に前記漏電ブレーカが嵌入された後においては、前記漏電ブレーカが前記凹状部から脱出することを規制するように、前記係止用凸部を前記漏電ブレーカに係止させることが可能な構成とされていることを特徴としている。
【０００９】
このような構成によれば、次のような効果が得られる。
第１に、コントローラケースへの漏電ブレーカの取り付けは、コントローラケースの凹状部に漏電ブレーカをその前方または後方から嵌入させればよく、前記従来技術とは異なり、漏電ブレーカをスライドさせるための領域をコントローラケースに設ける必要はない。したがって、コントローラケースに生じるデッドスペースを小さくし、その分だけコントローラケースの小サイズ化を図ったり、あるいは従来のデッドスペースに相当していた部分を、漏電ブレーカとは別の機器の取り付けに有効に利用するといったことができる。
第２に、漏電ブレーカは、コントローラケースに設けられた凹状部に嵌入することによりコントローラケースに保持され、ストッパ部との当接や、押さえ片の係合用凸部が漏電ブレーカに係止する作用により位置決めされて、凹状部からの脱出も適切に防止される。また、漏電ブレーカを凹状部に嵌入させる際には、押さえ片を撓ませて、この押さえ片と漏電ブレーカとが不当に干渉することも容易かつ適切に回避することが可能であり、実質的には、押さえ片を撓ませて漏電ブレーカを凹状部に嵌入させるだけで、漏電ブレーカの取り付けを図ることができる。したがって、漏電ブレーカの取り付け作業は、容易であり、作業負担も少ない。もちろん、前記従来技術と同様に、漏電ブレーカをコントローラケースにビス止めする必要はない。
【００１０】
本発明において、好ましくは、前記凹状部は、前記漏電ブレーカを前記コントローラケースの背後から嵌入させることが可能とされ、前記ストッパ部は、前記凹状部に前記漏電ブレーカが嵌入されたときに、前記漏電ブレーカの前向き面に当接し、前記漏電ブレーカが前記凹状部の前方に脱出することを阻止することが可能に設けられ、前記押さえ片は、前記凹状部の上側において、前記凹状部の前部側から前記コントローラケースの後方に向けて突出し、かつ前記係止用凸部は、下向き凸状に設けられ、前記凹状部に前記漏電ブレーカが嵌入された後においては、前記係止用凸部を前記漏電ブレーカの後向き面に係止させることにより、前記漏電ブレーカが前記凹状部の後方に脱出することを阻止可能とされている。
【００１１】
このような構成によれば、次のような効果が得られる。
第１に、係止用凸部が凹状部の上側に位置して後向きに突出しており、凹状部に漏電ブレーカを嵌入させる場合には、凹状部の後方側から嵌入させる方式が採用されているために、凹状部への漏電ブレーカの嵌入作業がより容易となる。より具体的には、漏電ブレーカの上面は、樹脂成形などの事情を考慮し、前下りの傾斜面とされている場合が多い。このような漏電ブレーカを凹状部に対してその後方から嵌入させるようにすれば、その嵌入時には、漏電ブレーカの前下がり状の上面によって押さえ片の係止用凸部を徐々に押し上げていくといったことが可能となる。漏電ブレーカを凹状部に対してその前方から嵌入させる場合には、漏電ブレーカにそのような作用は得られず、凹状部の後方から嵌入させる方が、凹状部への漏電ブレーカの嵌入作業がより容易となる。
第２に、漏電ブレーカを凹状部に嵌入させて取り付けた場合、漏電ブレーカをコントローラケースの後方側に取り出すことはできるものの、コントローラケースの前方に引き抜いて取り出すことは困難となる。したがって、漏電ブレーカの不当な取り外しを防止する上でも好ましい。
第３に、押さえ片は、凹状部の上側に設けられているために、この押さえ片に漏電ブレーカの重量が作用しないようにすることができる。押さえ片は、弾性変形可能であり、その肉厚を余り大きくすることはできないために、この部分に大きな荷重が作用することは余り好ましいものではないが、前記構成によれば、そのようなことも回避することが可能となる。
【００１２】
本発明において、好ましくは、前記コントローラケースの背面板には、開口部が設けられ、この開口部の前方領域が前記凹状部とされている。
【００１３】
このような構成によれば、凹状部がコントローラケースの背面板の前方領域に形成されているために、この凹状部に漏電ブレーカを嵌入させた場合には、漏電ブレーカがコントローラケースの背面板の後方に大きくはみ出さないようにすることができる。したがって、全体の前後方向の厚みが嵩張ることも適切に回避することが可能である。
【００１４】
本発明において、好ましくは、前記漏電ブレーカは、その左右両側面部から突出する一対の突出片部と、前面部に設けられた漏電表示ランプならびに配線用端子部とを有しており、前記ストッパ部としては、前記凹状部の幅方向に間隔を隔てて位置し、かつ前記漏電ブレーカを挟んだ状態で前記一対の突出片部の前向き面に当接可能な一対の第１のストッパ部と、前記漏電表示ランプおよび前記配線用端子部の前方を避けるようにして前記漏電ブレーカの前面部に当接可能な第２のストッパ部と、を有している。
【００１５】
このような構成によれば、ストッパ部としては、一対の第１のストッパ部と第２のストッパ部とが設けられて、少なくとも漏電ブレーカの３箇所にストッパ部を当接させることができるために、漏電ブレーカの取り付け状態を安定させることができる。加えて、漏電ブレーカの漏電表示ランプや配線用端子部が前記したストッパ部によって覆われない構成であるために、漏電ブレーカの動作確認や、配線用端子部配線作業などにも支障を生じないようにすることができる。
【００１６】
本発明のその他の特徴および利点は、添付図面を参照して以下に行なう発明の実施の形態の説明から、より明らかになるであろう。
【図面の簡単な説明】
【００１７】
【図１】本発明に係るコントローラケースへの漏電ブレーカの取付け構造の一例を示す斜視図である。
【図２】図１の分解斜視図である。
【図３】図１の要部正面図である。
【図４】（ａ）は、図１のIV−IV断面図であり、（ｂ）は、（ａ）の分解断面図であり、（ｃ）は、漏電ブレーカをコントローラケースに取り付ける際の途中状態を示す要部断面図である。
【図５】図１に示すコントローラケースが組み込まれた温水装置の一例を示す概略説明図である。
【図６】本発明の他の例を示す要部断面図である。
【発明を実施するための形態】
【００１８】
以下、本発明の好ましい実施の形態について、図面を参照して具体的に説明する。
【００１９】
図１に示すコントローラケースへの漏電ブレーカの取付け構造Ｃは、コントローラケース１、制御基板２、電源回路基板３、および漏電ブレーカ４を備えている。なお、図面における矢印Ｆｒは、コントローラケース１の前方を示している。
コントローラケース１は、たとえば図５に示すような温水装置５の外装ケース５０内に組み込まれて使用されるものである。温水装置５は、ファン５１から燃焼用空気の供給を受けるバーナ５２により発生させた燃焼ガスから熱交換器５３を利用して熱回収を行なうことにより、給湯用の湯水加熱を行なう。制御基板２は、温水装置５の各部の動作制御を行なうための制御回路を構成するものである。電源回路基板３は、商用電源から漏電ブレーカ４を介して供給されてくる電力の電圧および電流を前記制御回路や温水装置５の各部の動作に適合するように変換する電源回路を構成するものである。
【００２０】
漏電ブレーカ４は、図２および図３に示されたような外観形態を有しており、漏電検出回路や漏電検出時の電力遮断回路などが樹脂製ケース内に組み込まれた構成を有している。漏電ブレーカ４の左右幅方向の両側面部には、一対の突出片部４０が設けられている。漏電ブレーカ４の前面部４１ａには、漏電表示ランプ４２や操作ボタン４３が設けられている他、開閉カバー４４ａによって覆われた配線用端子部４４も設けられている。操作ボタン４３は、たとえばリセットボタンや動作試験用ボタンである。図面においては、配線用端子部４４にアース線としての１本の電装線４５が接続された状態を示しているが、開閉カバー４４ａを開いて配線用端子部４４を露出させることにより、この配線用端子部４４には他の電装線（図示略）を接続することが可能である。他の電装線としては、漏電ブレーカ４を外部の商用電源に接続するためのもの、および電源回路基板３の電源回路に接続するためのものがある。
【００２１】
図１および図２において、コントローラケース１は、樹脂成形品であり、正面視略矩形の背板部１０と、この背板部１０から前方に突出して上下高さ方向に延びる複数のリブ１２ａ〜１２ｄが形成された構成を有している。リブ１２ａ，１２ｂ間の凹部には、制御基板２が収容して取り付けられ、リブ１２ｂ，１２ｃ間の凹部には、電源回路基板３が収容して取り付けられる。
【００２２】
コントローラケース１は、漏電ブレーカ４をこのコントローラケース１の後方から取り付けるように構成されている。そのための手段として、コントローラケース１には、凹状部１３、補助片部１４、背板部１０に形成された開口部１０ａ、係止用凸部１５ａを有する押さえ片１５、一対の第１のストッパ部１６ａ、および第２のストッパ部１６ｂが設けられている（図４も参照）。
【００２３】
凹状部１３は、漏電ブレーカ４を嵌入させるための部位である。リブ１２ｃ，１２ｄ間の領域のうち、背板部１０の開口部１０ａの前方領域であって、押さえ片１５の下方領域が、凹状部１３に相当する。開口部１０ａの下縁部１７は、図４（ａ）に示すように、漏電ブレーカ４を凹状部１３に嵌入させた際には、漏電ブレーカ４の下部を支持するための支持部として機能する。この漏電ブレーカ４の支持を安定させるための手段として、下縁部１７には、漏電ブレーカ４の底面を受けるための受け部１７ａと、この受け部１７ａよりも上向きの突出部１７ｂとを設けた構成とすることができる。突出部１７ｂは、漏電ブレーカ４の下部が後方に位置ずれすることを防止する役割を果たす。
【００２４】
補助片部１４は、リブ１２ｃ，１２ｄの前部に架け渡された状態に設けられており、孔部１４ａが適宜設けられている。補助片部１４の下部は、第２のストッパ部１６ｂに相当し、図４（ａ）に示すように、漏電ブレーカ４が凹状部１３に嵌入された状態においては、漏電ブレーカ４の前面部４１ｂの上部と当接可能である。図３によく表われているように、一対の第１のストッパ部１６ａは、たとえば正面視矩形の板状であり、リブ１２ｃ，１２ｄから互いに対向する方向に突出して設けられている。各第１のストッパ部１６ａは
、図４（ａ）に示すように、漏電ブレーカ４の各突出片部４０の前向き面に当接可能である。
【００２５】
押さえ片１５は、凹状部１３に嵌入された漏電ブレーカ４が凹状部１３の後方に脱出することを阻止し、漏電ブレーカ４の位置決めを図るための部位である。この押さえ片１５は、補助片部１４に連設され、この補助片部１４から後方に向けてやや後下がり状に突出した舌片状である。押さえ片１５の先端部には、下向きの係止用凸部１５ａが設けられている。押さえ片１５は、図４（ａ）の矢印Ｎ１に示すように、上下高さ方向に弾性復元力を伴なって撓み変形可能である。この撓み変形により、後述するように、押さえ片１５と漏電ブレーカ４との干渉を回避した状態と、押さえ片１５の係止用凸部１５ａを漏電ブレーカ４の後面部４１ｃの上部に係止させた状態との設定が可能である。
【００２６】
次に、前記したコントローラケースへの漏電ブレーカの取付け構造Ｃの作用について説明する。
【００２７】
まず、コントローラケース１に漏電ブレーカ４を取り付けるには、図４（ｂ），（ｃ）に示すように、漏電ブレーカ４を凹状部１３に対してその後方から嵌入させていく。その際、押さえ片１５については、同図（ｂ）の矢印Ｎ２に示すように上側に撓ませる。このことにより、押さえ片１５と漏電ブレーカ４との不当な干渉を回避して、漏電ブレーカ４を凹状部１３に嵌入させることができる。漏電ブレーカ４の嵌入時には、同図（ｃ）に示すように、押さえ片１５の係止用凸部１５ａが漏電ブレーカ４の上面部４１ｄに当接する場合があるが、上面部４１ｄは、後ろ上がり状の傾斜面である（これは漏電ブレーカ４のケースの樹脂成形時の抜きテーパなどに対応する）。したがって、同図（ｃ）に示すような状態において、たとえば漏電ブレーカ４をそのまま前進させて、押さえ片１５を上面部４１ｄによって徐々に押し上げていきながら、漏電ブレーカ４を凹状部１３に嵌入する作業をスムーズに完了させることができる。漏電ブレーカ４は、前側部分よりも後側部分の方が上下幅が大きい形態であるために、凹状部１３には、上下幅の小さい前側部分から嵌入させる方が、後側部分から嵌入させる場合よりも、漏電ブレーカ４との干渉を避け易く、漏電ブレーカ４の嵌入作業が容易となる。本実施形態では、そのようなことが適切に実現されている。
【００２８】
漏電ブレーカ４を凹状部１３に嵌入し終えると、図４（ａ）に示すように、漏電ブレーカ４の前面部４１ｂの上部は、第２のストッパ部１６ｂに当接し、一対の突出片部４０は、第１のストッパ部１６ａに当接する。押さえ片１５は、その弾性復元力により元の位置に復帰すべく下降する結果、その係止用凸部１５ａは、漏電ブレーカ４の後面部４１ｃの上部に係止する。したがって、漏電ブレーカ４の前後方向の位置決め固定が適切に図られ、凹状部１３から漏電ブレーカ４が脱出するような不具合はない。漏電ブレーカ４の左右方向の位置決めは、一対の突出片部４０がリブ１２ｃ，１２ｄ間に挟まれることにより図られる。また、漏電ブレーカ４の上下高さ方向の位置決めは、漏電ブレーカ４が受け部１７ａによって受けられた状態において、押さえ片１５が漏電ブレーカ４を下向きに押圧する作用により図られる。
【００２９】
本実施形態によれば、コントローラケース１における漏電ブレーカ４用の取り付けスペースとして、特許文献１に記載された漏電ブレーカのスライド用スペースを設ける必要はない。したがって、その分だけコントローラケース１のサイズを小さくし、あるいはスライド用スペースに相当していた部分を、他の機器の取付け用のスペースとして有効利用することができるといった利点が得られる。コントローラケース１が、図５に示す温水装置５に組み込まれる場合、その全体のサイズはできる限り小さくすることが要望されるが、本実施形態によれば、そのような要望に沿ったものとすることができる。また、漏電ブレーカ４を嵌入させるための凹状部１３は、背板部１０の開口部１０ａの前方に形成されて
おり、漏電ブレーカ４が背板部１０よりも後方にはみ出さないようにすることもできる。
【００３０】
漏電ブレーカ４が取り付けられた状態において、押さえ片１５を上向きに撓ませて、係止用凸部１５ａと漏電ブレーカ４との係止状態を解除させれば、漏電ブレーカ４を凹状部１３の後方に脱出させることが可能である。したがって、漏電ブレーカ４の着脱も容易である。一方、漏電ブレーカ４が凹状部１３の前方に脱出することは第１および第２のストッパ部１６ａ，１６ｂによって阻止されている。このため、漏電ブレーカ４の不当な取り外しを防止する上で好ましいものとなる。押さえ片１５は、漏電ブレーカ４の上側に位置しており、漏電ブレーカ４の重量は、開口部１０ａの下縁部１７によって負担される。したがって、押さえ片１５に漏電ブレーカ４の重量が大きく作用しないようにし、押さえ片１５を保護することが可能である。
【００３１】
漏電ブレーカ４の前方への移動規制は、一対の第１のストッパ部１６ａと一対の突出片部４０との当接、および第２のストッパ部１６ｂと漏電ブレーカ４の前面部４１ｂの上部との当接によりなされている。このため、たとえば漏電ブレーカ４の１箇所のみにストッパ部を当接させるような場合と比較して、漏電ブレーカ４の位置決めを的確に図ることが可能である。一方、漏電ブレーカ４の漏電表示ランプ４２、操作ボタン４３、および配線用端子部４４については、前記した第１および第２のストッパ部１６ａ，１６ｂによっては覆われておらず、前方に露顕または露出した配置とされる。したがって、コントローラケース１の前方から漏電表示ランプ４２を適切に視認し、また操作ボタン４３を操作することができる。さらに、配線用端子部４４への配線作業もコントローラケース１の前方から適切に行なうことが可能となる。
【００３２】
図６は、本発明の他の実施形態を示している。同図において、前記実施形態と同一または類似の要素には、前記実施形態と同一の符号を付している。
【００３３】
図６に示す実施形態においては、コントローラケース１に設けられた凹状部１３に対して、その前方から漏電ブレーカ４を嵌入させるように構成している。コントローラケース１の背板部１０は、凹状部１３に漏電ブレーカ４を嵌入させた際に、漏電ブレーカ４の後面部４１ｃに当接することによって、漏電ブレーカ４がそれ以上進行することを阻止するためのストッパ部に相当している。背板部１０には、漏電ブレーカ４の下部を支持するための受け部１１が設けられている。押さえ片１５は、背板部１０から前方に向けて突出しており、凹状部１３に漏電ブレーカ４が嵌入された際には、漏電ブレーカ４の前面部４１ｂの上部に係止用凸部１５ａが係止するように設けられている。
本実施形態においても、前記実施形態と同様に、コントローラケース１に漏電ブレーカ４をスライドさせるためのスペースを設ける必要はなく、本発明の意図する効果が得られる。なお、本実施形態のように、漏電ブレーカ４をコントローラケース１の前方から取り付ける方式とすれば、前記実施形態の開口部１０ａに相当する開口部を背板部１０に設ける必要はない。したがって、本発明でいう凹状部は、非貫通孔状とすることもできる。
【００３４】
本発明は、上述した実施形態の内容に限定されない。本発明に係るコントローラケースへの漏電ブレーカの取付け構造の各部の具体的な構成は、本発明の意図する範囲内において種々に設計変更自在である。
【００３５】
本発明でいう凹状部は、上述した実施形態の凹状部の構成から理解されるように、凹状部の上下左右の全域が、壁部によって囲まれた空間でなくてもよい。要は、漏電ブレーカが嵌入可能であって、その嵌入時において漏電ブレーカを保持可能な凹状領域であればよい。本発明でいう押さえ片は、凹状部に沿ってコントローラケースの前後厚み方向に延び、かつ弾性復元力を伴って撓み変形可能であって、先端部に係止用凸部を有していればよい。この押さえ片は、凹状部の上側に設けることに代えて、または加えて、下側もしくは
側方（横）に設けられた構成とすることも可能である。
【００３６】
漏電ブレーカとしては、上述した実施形態とは異なる形態のものを用いることができる。たとえば、漏電ブレーカに一対の突出片部４０を設けない構成とすることが可能である。本発明でいうコントローラケースは、制御基板を収容するケースの意であり、制御基板や漏電ブレーカ以外の機器が収容されているか否かといったことは問うものではない。制御基板を用いて制御される機器は、温水装置に限定されない。したがって、コントローラケースは、温水装置以外の装置に組み込まれて使用されるものであってもよい。
【符号の説明】
【００３７】
Ｃ  コントローラケースへの漏電ブレーカの取付け構造
１  コントローラケース
２  制御基板
３  電源回路基板
４  漏電ブレーカ
１０  背板部
１０ａ  開口部
１３  凹状部
１５  押さえ片
１５ａ  係止用凸部（押さえ片の）
１６ａ  第１のストッパ部
１６ｂ  第２のストッパ部
４０  突出片部（漏電ブレーカの）
４１ａ，４１ｂ  前面部（漏電ブレーカの）
４１ｃ  後面部（漏電ブレーカの）
４２  漏電表示ランプ
４４  配線用端子部
【図１】
2013178925.tif 000003
【図２】
2013178925.tif 000004
【図３】
2013178925.tif 000005
【図４】
2013178925.tif 000006
【図５】
2013178925.tif 000007
【図６】
2013178925.tif 000008